(57)【要約】【課題】空気中に浮遊する細菌，ウイルスなどの病原菌、花粉などの極めて微細な有害物質や汚染物質の吸入を効果的に防止し、病気の感染や発症の予防に有効的なマスク用衛生フィルタを提供する。【解決手段】マスク２のマスク本体２０の内側部に添装して使用するマスク用衛生フィルタであって、通気性かつ吸湿性を有する素材で構成し、使用者の少なくとも口及び鼻孔を覆うことが可能な大きさの内側シート１０と、通気性を有し、前記シートの一方の面及び他方の面を全体的に被覆可能な大きさの非吸湿性の不織布よりなる第１の外側布１１ａ及び第２の外側布１１ｂとを備える。前記シートに安定化二酸化塩素水を含浸させ、シートの両方の面を前記両外側布で被覆させる。【選択図】図１
0003150869.tif 000002
【実用新案登録請求の範囲】
【請求項１】
使用者の口及び鼻孔を覆わせて着用できるように形成された通気性を有するマスク本体を含むマスクの前記本体の内側部に交換可能に添装して使用する衛生フィルタであって、
通気性かつ吸湿性を有するシート状の素材で構成され、少なくとも前記口及び鼻孔を覆うことが可能な大きさの内側シートと、
通気性を有し、前記シートの一方の面及び他方の面をそれぞれ全体的に被覆可能な大きさの非吸湿性の不織布で構成された第１の外側布及び第２の外側布とを備え、
前記シートには安定化二酸化塩素水が含浸され、
前記シートの両方の面は前記外側布で被覆されている、
ことを特徴とする、マスク用衛生フィルタ。
【請求項２】
前記第１の外側布と第２の外側布は、切り離されて独立した不織布で構成され、前記両外側布で前記内側シートを挟ませて、前記内側シートの両方の面を前記両外側布で被覆させてあることを特徴とする、請求項１に記載のマスク用衛生フィルタ。
【請求項３】
前記第１の外側布は、所定の大きさの不織布を二つ折りして前記不織布の一半部で形成するように構成されていると共に、前記第２の外側布は前記不織布の他半部で形成するように構成され、前記内側シートを介装して前記不織布を二つ折りに折り畳んで前記内側シートの両方の面を前記第１及び第２の外側布で被覆させてあることを特徴とする、請求項１に記載のマスク用衛生フィルタ。
【請求項４】
前記第１及び第２の外側布で前記内側シートを収容する扁平状の袋体が形成され、前記内側シートは前記袋体内に収容されて前記内側シートの両方の面を前記第１及び第２の外側布で被覆させてあることを特徴とする、請求項１に記載のマスク用衛生フィルタ。
【請求項５】
前記内側シートは、布、不織布、フェルト、脱脂綿、及び紙の群から選択した素材で構成されていることを特徴とする、請求項１ないし４のいずれかに記載のマスク用衛生フィルタ。
【考案の詳細な説明】
【技術分野】
【０００１】
本考案は、マスクを着用する際に、マスク本体の内側部に当接する等により添装して使用するマスク用衛生フィルタに関する。さらに詳しくは、空気中に浮遊する細菌類やウイルス類などの病原菌、花粉、粉塵等の吸入を防止し、病気の感染や発症を予防するマスク用衛生フィルタに関する。
【背景技術】
【０００２】
従来、風邪その他の病気の予防や花粉症の予防などを目的として、以下のような多種多様のマスクが提案されている。(１)薬効植物の乾燥体を充填した収容体をマスク本体に重ね合わせて取着したマスク（特許文献１参照）。（２）ガーゼに薬物を含ませ、或いはガーゼ間にポケットを作り、その中に薬物を含む物体を入れた薬用マスク（特許文献２参照）。（３）マスク本体にサイクロデキストリンに揮発性薬剤を包接させた粉体を付着させたマスク（特許文献３参照）。（４）メントールを含有した微多孔性の中空繊維からなるメントール徐放化保持体を設けたマスク（特許文献４参照）。（５）マスクの背部にプロポリス液を含浸させた布をガーゼで包んで当てて使用するマスク（特許文献５参照）。
【０００３】
上記特許文献１ないし５に記載のマスクによれば、それぞれの特性をもつ有効的な作用を有するマスクが得られる。しかし、上記従来のマスクでは、空気中に浮遊する極めて微細な有害な物質や汚染物質の吸入を防止する作用については、未だ十分ではなく、改良を加えるべき余地が残されている。
【先行技術文献】
【特許文献】
【０００４】
【特許文献１】実開平１−９０５５３号公報
【特許文献２】実開平１−１３３９４１号公報
【特許文献３】実公平２−３９４７０号公報
【特許文献４】特公平３−８７８１号公報
【特許文献５】特開平５−７６５９７号公報
【考案の概要】
【考案が解決しようとする課題】
【０００５】
本考案は上記したような実情に鑑み、空気中に浮遊する細菌，ウイルスなどの病原菌、花粉などの極めて微細な有害ないし汚染物質の吸入を効果的に防止でき、病気の感染や発症の予防に有効的なマスク用フィルタを提供することを目的とするものである。
【課題を解決するための手段】
【０００６】
上記目的を達成するため、本考案は、使用者の口及び鼻孔を覆わせて着用できるように形成された通気性を有するマスク本体を含むマスクの前記本体の内側部に交換可能に添装して使用する衛生フィルタであって、
通気性かつ吸湿性を有するシート状の素材で構成され、少なくとも前記口及び鼻孔を覆うことが可能な大きさの内側シートと、
通気性を有し、前記シートの一方の面及び他方の面をそれぞれ全体的に被覆可能な大きさの非吸湿性の不織布で構成された第１の外側布及び第２の外側布とを備え、
前記シートには安定化二酸化塩素水が含浸され、
前記シートの両方の面は前記外側布で被覆されている、ことを特徴とする。
【０００７】
なお、本考案において、「マスク本体の内側部に交換可能に添装して使用する」の用語は、マスク本体の内側面（使用者の顔面側に位置する面）に当接して使用する場合、及びマスク本体にポケットを形成し、このポケット内に収容して使用する場合も含む意味として用いられている。
【０００８】
上記のように構成した本考案のマスク用衛生フィルタをマスク本体の内側部に添装して使用すると、空気中に浮遊している細菌類やウイルス類などの病原菌、花粉、粉塵等はフィルタを通過する際に、安定化二酸化塩素水が含浸されている内側シートの層（前記二酸化塩素水の層）に吸着され、鼻孔や口から吸入されることを防止する。また、二酸化塩素の除菌・殺菌効果によりウイルス類や細菌類などの病原菌は除菌・殺菌されるので、病気の感染を予防できる。さらにまた、花粉症の予防にもなる。
【０００９】
本考案において、前記第１の外側布と第２の外側布は、切り離されて独立した不織布で構成され、前記両外側布で前記内側シートを挟ませて、前記内側シートの両方の面を前記両外側布で被覆させる構成を採用することができる。
【００１０】
本考案において、前記第１の外側布は、所定の大きさの不織布を二つ折りして前記不織布の一半部で形成するように構成されていると共に、前記第２の外側布は前記不織布の他半部で形成するように構成され、前記内側シートを介装して前記不織布を二つ折りに折り畳んで前記内側シートの両方の面を前記第１及び第２の外側布で被覆させるように構成することもできる。
【００１１】
また、本考案においては、前記第１及び第２の外側布で前記内側シートを収容する扁平状の袋体が形成され、前記内側シートは前記袋体内に収容されて前記内側シートの両方の面を前記第１及び第２の外側布で被覆させる構成を採用することもできる。
【００１２】
さらにまた、本考案において、前記内側シートは、布、不織布、フェルト、脱脂綿、及び紙の群から選択した素材で構成することができる。
【考案の効果】
【００１３】
本考案によれば、次のような効果を奏する。
（１）空気中に浮遊しているウイルス類，細菌類などの病原菌、花粉、粉塵等はフィルタを通過する際に、安定化二酸化塩素水が含浸されている内側シートの層（前記二酸化塩素水の含有層）に吸着され、鼻孔や口から吸入されるのを防止できる。
（２）二酸化塩素の除菌・殺菌効果により、ウイルス類や細菌類などの病原菌は除菌・殺菌されるので、前記菌による病気の感染を予防できる。また、二酸化塩素は新型インフルエンザウイルスやノロウイルスの除菌・殺菌効果を有しているので、これらのウイルスの感染を予防することもできる。二酸化塩素が上記した作用効果を有していることは実験上証明されている。
（３）花粉症の発症を予防することができる。
（４）安定化二酸化塩素水の消臭効果により、悪臭成分を吸気とともに吸入することを防止できる。
（５）第１及び第２の外側布は非吸湿性の不織布で構成されているので、内側シートに含浸されている安定化二酸化塩素水がマスク本体及びマスク着用者の口元等に付着して濡れるのを防止する。
（６）本考案のフィルタを使用したマスクを着用することにより、着用者が保有する病原菌等が呼気とともに吐き出されて周囲に飛散・拡散されるのを防止でき、口臭予防や病原菌の拡散防止の効果も奏する。
【図面の簡単な説明】
【００１４】
【図１】本考案の一実施形態のマスク用衛生フィルタの構成を概略的に示す斜視図である。
【図２】前記マスク用衛生フィルタの構成を示す図であって、同図（ａ）は前記フィルタの構成を概略的に示す平面図、同図（ｂ）は同図（ａ）のＡ−Ａ線断面図である。
【図３】前記フィルタをマスクのマスク本体に添装した状態の使用例を示す説明図である。
【図４】前記フィルタの作用を説明するために示す説明図である。
【図５】前記フィルタを密封袋に封入した状態を示す説明図である。
【図６】本考案の他の実施形態のマスク用衛生フィルタの構成を概略的に示す分解斜視図である。
【図７】本考案のさらに他の実施形態のマスク用衛生フィルタの構成を概略的に示す分解斜視図である。
【考案を実施するための形態】
【００１５】
以下、図面を参照して本考案のマスク用衛生フィルタの実施形態の一例について説明する。
【００１６】
図１ないし図５は本考案の一実施形態（実施形態１）を示す。これら図１ないし図５に示すように、本考案のマスク用衛生フィルタ１は、マスク２のマスク本体２０の内側部に添装して使用される。マスク２は、使用者の口及び鼻孔（いずれも図示せず）を覆わせて着用できるように形成されたマスク本体２０を含み、この本体２０の両側に一対の耳掛け部２１，２１を設けて構成されている。
【００１７】
マスク本体２０は通気性を有する素材で構成される。本体２０の素材は特に限定されないが、例えば、従来の一般的なマスクと同様にガーゼや不織布で構成できる。実施形態１のマスク本体２０は扁平状の長方形状に形成したものが開示されているが、他の任意の形状に変更可能である。また、マスク本体２０の布を二重に形成する等により、フィルタ１を収容するポケット（図示せず）を設ける構成を採用してもよい。前記耳掛け部２１，２１はゴム紐などの伸縮性を有する素材で構成することができる。
【００１８】
マスク用衛生フィルタ１は、内側シート１０と、第１の外側布１１ａと、第２の外側布１１ｂとを備える。内側シート１０は、通気性かつ吸湿性を有するシート状の素材で構成され、少なくとも使用者の口及び鼻孔を覆うことが可能な大きさに形成される。前記シート１０の構成素材は特に限定するものではないが、例えば、布、不織布、フェルト、脱脂綿、及び紙等よりなる群から任意に選択した素材で構成できる。なお、前記シート１０は、保湿性ないし保水性が良好な素材を選択することが好ましい。
【００１９】
第１及び第２の外側布１１ａ，１１ｂは、通気性を有し、前記シート１０の一方の面及び他方の面をそれぞれ全体的に被覆可能な大きさの非吸湿性ないし非吸水性の不織布で構成されている。実施形態１の第１及び第２の外側布１１ａ，１１ｂは内側シート１０の大きさより幾分大きい寸法に形成した不織布で構成されている。また、両外側布１１ａ，１１ｂは切り離されて独立した不織布で構成されている。
【００２０】
第１及び第２の外側布１１ａ，１１ｂは、上述したように通気性を有し、かつ、非吸湿性（非吸水性）の不織布で構成され、その素材は特に限定されないが、例えば、ナイロン系樹脂やポリエステル系樹脂、或いはポリオレフィン系樹脂等の熱可塑性樹脂からなる不織布を採用できる。
【００２１】
前記ナイロン系不織布としては、例えば、ユニチカ株式会社製のナイロン系スパンボンド不織布（商品名「ナイエース」、登録商標）、旭化成株式会社製の不織布（商品名「エルタスガード」、登録商標）などが挙げられる。前記ポリエステル系不織布としては、例えば、東洋紡株式会社製の不織布（商品名「ボンデン」、登録商標）などが挙げられる。また、前記ポリオレフィン系不織布としては、例えば、出光ユニテック株式会社製のポリプロピレン製スパンボンド不織布（商品名「ストラテックス」、登録商標）などが挙げられる。なお、上記は一例として挙げたもので、上記に限定するものではないこと勿論である。
【００２２】
前記内側シート１０には安定化二酸化塩素水（安定化二酸化塩素水溶液）が含浸されている。安定化二酸化塩素水（安定化二酸化水溶液）は、二酸化塩素を水中に安定化させて溶存させたもので、公知の任意の方法により製造できる。前記水としては純水又は蒸留水（実施形態１では純水）を使用する。本考案に使用される安定化二酸化塩素水中の二酸化塩素の濃度は特に限定するものではないが、例えば濃度約５０ｐｐｍ〜約２，０００ｐｐｍ、好ましくは、約３００ｐｐｍ〜約１，５００ｐｐｍの範囲を挙げることができる。但し、上記範囲内に限定するものではない。
内側シート１０に安定化二酸化塩素水を含浸する方法としては、例えば、前記二酸化塩素水中に前記シートを浸漬し、或いは前記二酸化塩素水を前記シートに塗布する方法等を採用できる。
【００２３】
前記安定化二酸化塩素水を含浸させた内側シート１０の一方の面を第１の外側布１１ａで被覆すると共に前記シート１０の他方の面を第２の外側布１１ｂで被覆して前記衛生フィルタ１を構成する。即ち、内側シート１０を第１及び第２の外側布１１ａ，１１ｂで挟ませて前記シート１０の両方の面を前記両外側布１１ａ，１１ｂで被覆してマスク用衛生フィルタ１を構成してある。
【００２４】
実施形態１のマスク用衛生フィルタ１は上記のように構成され、マスク２を着用する際に、図３等に示すように、前記衛生フィルタ１をマスク本体２０の内側面に当接して添装し、この状態でマスクを着用するものである。なお、この場合において、本体２０にポケット（図示せず）を設けたマスクにおいては、前記衛生フィルタ１をポケット内に収容し、その状態でマスクを着用してもよい。また、この衛生フィルタ１は、原則的にはマスクを着用する毎に新品と交換して使用するものである。これらの点については後述する各実施形態においても同様である。
【００２５】
なお、上記のように構成したマスク用衛生フィルタ１を図５に示すように、非通気性かつ耐水性のプラスチックフィルム等よりなる密封袋３に収容して密閉包装して製品とし、この状態で市販するように構成してもよい。このように構成した場合には、所要時に密封袋３を開封し、衛生フィルタ１を袋から取り出して上記と同様に使用する。この点いついても後述する各実施形態においても同様である。
また、第１及び第２の外側布１１ａ，１１ｂのうち、いずれか一方又は両方の外側布１１ａ，１１ｂに、所望に応じて芳香剤を含有させる構成を採用することができる。この点についても後述する各実施形態においても同様である。
【００２６】
実施形態１のマスク用衛生フィルタは上記のように構成したもので、次に作用等につき説明する。実施形態１の衛生フィルタ１を上述したようにマスク本体２０の内側部に当接して添装してマスク２を着用すると、図４に示すように、従来のマスクと同様に、空気は同図矢印４で示すようにマスク本体２０、第１の外側布１１ａ、内側シート１０、及び第２の外側布１１ｂを通過して吸気され、また、使用者の呼気は、同図矢印５で示すように、前記と逆のルートを通過して排気される。
【００２７】
そして、上記のように使用することにより、次のような作用効果を奏する。
（１）空気中に浮遊しているウイルス類，細菌類などの病原菌、花粉、粉塵等の粉塵や病原菌等６は、図４に示すように、フィルタ１を通過する間に内側シートの層（安定化二酸化塩素水の含有層）で吸着されて除去され、鼻孔や口から吸入されるのを防止する。したがって、きれいになった空気のみが吸入される。
（２）二酸化塩素の除菌・殺菌効果（作用）により、ウイルス類や細菌類などの病原菌は除菌・殺菌されるので、前記菌による病気の感染を予防できる。また、二酸化塩素は新型インフルエンザウイルスやノロウイルスの除菌・殺菌効果を有しているので、これらウイルスの感染を予防することもできる。
（３）花粉症の発症も予防できる。
（４）安定化二酸化塩素水の有する消臭効果により、悪臭成分を吸気とともに吸入することを防止する。
（５）第１及び第２の外側布は非吸湿性の不織布で構成され、内側シートは前記外側布で挟まれて前記シートの両方の面を被覆してあるので、内側シートに含浸されている安定化二酸化塩素水がマスク本体及びマスク着用者の口元等に付着して濡れるのを防止する。
（６）マスク着用者が保有する病原菌等が呼気とともに吐き出されて周囲に飛散・拡散されるのを防止できるので、病原菌の拡散防止及び口臭予防の効果も奏する。
【００２８】
図６は本考案の他の実施形態（実施形態２）のマスク用衛生フィルタを示す図である。なお、実施形態２のマスク用衛生フィルタにおいて、実施形態１で既に説明した構成と共通する構成部等には同一符号を付して説明を省略する。この実施形態２のマスク用衛生フィルタ１Ａは、第１及び第２の外側布の構成に特徴がある。
【００２９】
図６に示すように、実施形態２のマスク用衛生フィルタ１Ａの第１の外側布１２ａは、所定の大きさ（内側シート１０の概ね２倍強の大きさ）の不織布１２を中央部から二つ折りして不織布１２の一半部で形成するように構成されていると共に、第２の外側布１２ｂは不織布１２の他半部で形成するように構成されている。即ち、実施形態２の第１及び第２の外側布１２ａ及び１２ｂは、実施形態１の第１の外側布１１ａと第２の外側布１１ｂとを切り離すことなく、一体的に形成して構成したものである。
【００３０】
そして、実施形態２の前記衛生フィルタ１Ａは、内側シート１０を介装して不織布１２を二つ折りに折り畳んで内側シート１０の両方の面を第１及び第２の外側布１２ａ，１２ｂで被覆させて構成されている。不織布１２は通気性を有し、かつ、非吸湿性の素材で構成することも含め、他の構成は実施形態１と同様である。
【００３１】
実施形態２のマスク用衛生フィルタ１Ａは上記のように構成され、実施形態１の前記衛生フィルタ１と同様に使用される。これにより、実施形態１と同様の作用効果を奏する。
【００３２】
図７は本考案のさらに他の実施形態（実施形態３）のマスク用衛生フィルタを示す図である。実施形態３のマスク用衛生フィルタ１Ｂも第１及び第２の外側布の構成に特徴がある。
【００３３】
図７に示すように、実施形態３のマスク用衛生フィルタ１Ｂは、第１の外側布１３ａ及び第２の外側布１３ｂとで内側シート１０を収容する扁平状の袋体１３が形成されている。即ち、実施形態３は、例えば実施形態２の前記不織布１２を二つ折りして両側縁を接着その他の任意の手段でシール１４，１４し、一端（図７において上端）を開口１５した袋体１３を構成し、この袋体１３で第１及び第２の外側布１３ａ，１３ｂを構成したものである。
【００３４】
そして、実施形態３の前記衛生フィルタ１Ｂは、内側シート１０を袋体１３に収容し、前記シート１０の両方の面を第１及び第２の外側布１３ａ，１３ｂで被覆させて構成してある。この場合、内側シート１０を袋体１３内に収容後、開口部１５を接着その他の任意の手段でシールするように構成してもよい。他の構成は実施形態１と同様である。
【００３５】
実施形態３のマスク用衛生フィルタは上記のように構成され、実施形態１の前記衛生フィルタ１と同様に使用される。これにより実施形態１と同様の作用効果を奏する。
【００３６】
なお、上記した各実施形態のマスク用衛生フィルタは一例として開示したもので、本考案は上記実施形態に限定されるものではなく、実用新案登録請求の範囲に記載の技術思想を越脱しない範囲において任意に変更可能なものである。
【符号の説明】
【００３７】
１        マスク用衛生フィルタ
２        マスク
１０      内側シート
１１ａ    第１の外側布
１１ｂ    第２の外側布
２０      マスク本体
【図１】
0003150869.tif 000003
【図２】
0003150869.tif 000004
【図３】
0003150869.tif 000005
【図４】
0003150869.tif 000006
【図５】
0003150869.tif 000007
【図６】
0003150869.tif 000008
【図７】
0003150869.tif 000009